(57)【特許請求の範囲】
【請求項１】
ライナを有するヘルメットであって、該ライナは、
第１の生地の層および第２の生地の層と、
前記第１の生地の層を前記第２の生地の層に対して摺動可能にする、前記第１の生地の層と前記第２の生地の層との間に配置された低摩擦界面部と
を備えた生地から形成されており、
前記第１の生地の層および前記第２の生地の層のうちの少なくとも１つは、織物、クロス、布およびフェルトのうちの少なくとも１つである生地から形成されている、ヘルメット。
【請求項２】
前記低摩擦界面部が、前記第１の生地の層と前記第２の生地の層との間に配置された第３の生地の層を有し、
前記第３の生地の層は、前記第３の生地の層と、前記第１の生地の層および前記第２の生地の層のうちの少なくとも１つとの間が低摩擦となる生地から形成されている、請求項１に記載されたヘルメット。
【請求項３】
前記低摩擦界面部が、第３の生地の層および第４の生地の層を有し、該第３の生地の層および該第４の生地の層は、互いに隣接して前記第１の生地の層と前記第２の生地の層との間に配置され、
前記第３の生地の層および前記第４の生地の層の各々は、少なくとも前記第３の生地の層と前記第４の生地の層との間が低摩擦となる生地から形成されている、請求項１または請求項２に記載されたヘルメット。
【請求項４】
前記低摩擦界面部が、前記第１の生地の層および前記第２の生地の層のうちの少なくとも１つの改質表面を含み、該改質表面と隣接する層との間が低摩擦となっている、請求項１から請求項３までのいずれか１項に記載されたヘルメット。
【請求項５】
前記改質表面は、前記第１の生地の層および前記第２の生地の層の形成に使用された物質とは異なる物質を使用しており、該物質は、前記第１の生地の層および前記第２の生地の層の表面に含浸または結合されている、請求項４に記載されたヘルメット。
【請求項６】
前記改質表面は、前記第１の生地の層および前記第２の生地の層のうちの少なくとも１つの表面に施こされた、生地の機械的特性を変化させるための物理的処理を含む、請求項４に記載されたヘルメット。
【請求項７】
前記第１の生地の層および前記第２の生地の層のうちの少なくとも１つがパディングを備えている、請求項１から請求項６までのいずれか１項に記載されたヘルメット。
【請求項８】
前記層のうちの少なくとも１つが穿孔を有している、請求項１から請求項７までのいずれか１項に記載されたヘルメット。
【発明の詳細な説明】
【技術分野】
【０００１】
本発明は、衣類、特に帽子、ヘッドバンド及びヘルメットなどのヘッドギア（被りもの）に関するものであり、これらは布や織物を含む生地を用いて形成される。
【背景技術】
【０００２】
これに関連して、このような衣類に使用される生地は、一般に、シートの形態で提供でき、様々な方法で形成できることが理解される。例えば、天然または合成の糸又はより糸から形成された生地が、製織、編み、クローシェ編みを含む工程によって形成できる。他の生地としては、例えば、フェルト製造工程によって形成できるものがある。衣類を形成するために使用できる生地を形成するために、他の方法も使用できる。例えば、繊維に形成する中間段階を経ずに、生地として使用される適切に薄く可撓性のシートに直接形成できる合成材料がある。
【０００３】
従来、帽子、ヘッドバンド、ヘルメットなどの衣類の形成に使用される布やクロスなどの様々な生地が知られている。
【発明の概要】
【発明が解決しようとする課題】
【０００４】
本発明は、このような使用のための新しい形態の生地を使用して、この新しい生地の特性を利用した新しい衣類を提供するものである。
【課題を解決するための手段】
【０００５】
本発明によれば、
第１の生地の層および第２の生地の層と、
第１の生地の層を第２の生地の層に対して摺動可能にする、第１の層と第２の層との間に配置された低摩擦界面部と
を備えた生地から形成された、帽子またはヘッドバンドが提供される。
【０００６】
本発明によれば、この帽子またはヘッドバンドは、ヘルメットの内側に着用できるように構成できる。
【０００７】
本発明によれば、ヘルメットと、この帽子またはヘッドバンドとを備えるキットが提供される。
【０００８】
本発明によれば、ライナを有するヘルメットが提供され、このライナは、
第１の生地の層および第２の生地の層と、
第１の生地の層を第２の生地の層に対して摺動可能にする、第１の層と第２の層との間に配置された低摩擦界面部と
を備えた生地から形成されている。
【０００９】
第１の生地の層および第２の生地の層のうちの少なくとも１つが、織物、布、クロスのうちの少なくとも１つも生地から形成されている。
【００１０】
低摩擦界面部は、衣類が着用者に着用されたときに予想される負荷の下で、第１の生地の層が第２の生地の層に対して摺動するように構成できる。例えば、この生地は、衝撃に対して着用者を保護することを意図した衣類の形成への使用に適することができる。この使用のために、低摩擦界面部は、衝撃から着用者を無事に保護することが期待されるその衝撃の間、第１の生地の層が第２の生地の層に対して摺動するように構成できる。
【００１１】
この生地は、製造され、次いで衣料品を作る際に使用できる。代替としてまたは追加的に、生地を含む衣料品を作ると同時に、その構成材から生地を形成することができる。
【００１２】
以下、本発明を、添付の図面を参照しながら非限定的な具体例によって説明する。
【図面の簡単な説明】
【００１３】
【図１】本発明で使用する生地の一部分の断面。
【図２】本発明で使用する生地の一部分の断面。
【図３】本発明で使用する生地の一部分の断面。
【図４】本発明により形成された帽子の断面。
【図５】本発明により形成されたライナを有するヘルメットの断面。
【発明を実施するための形態】
【００１４】
上記のとおり、本発明は、複数の層から形成された複合材料を帽子、ヘッドバンドおよびヘルメットを含む衣類の形成に使用する。複合材料すなわち積層生地は、予め作製されて、例えばロール又はベールの形態で提供でき、必要な形状に切断される。必要に応じて、衣類を形成するために、相互にまたは他の部材に接合される端部を有する。代替として、以下でさらに説明するように、積層生地の一部は、別個に提供されて、衣類またはその部分を形成する際に同時に形成できる。
【００１５】
この生地は、第１の生地の層および第２の生地の層と、第１の生地の層を第２の生地の層に対して摺動可能にする、第１の層と第２の層との間に配置された低摩擦界面部とを備える。
【００１６】
第１の生地の層および第２の生地の層は、例えば、織物、クロスおよび/または布から形成できる。しかし、他の材料、例えば、フェルト及び直接成形された可撓性シート材料、例えば人工皮革を含む材料も使用できる。
【００１７】
第１の生地の層と第２の生地の層とは、異なるもの及び／又は異なる種類にできることを理解されたい。したがって、衣料品の形成にこの生地を使用する場合、衣類の内側の層の生地は、着用者の快適さのような1つの特定の品質について選択され、衣類の外側に形成される第２の生地の層は、例えば外観により選択される。両方の層は、同じ生地から形成されてもよい。
【００１８】
しかしながら、衣料品の形成に使用される多くの生地は、比較的高い摩擦係数を有し、一般に衣類に望ましい特性を有するために選択される異なる２つの生地の層の間には比較的高い摩擦係数が存在する。本発明では、第１の生地の層と第２の生地の層との間に低摩擦界面部が配置され、第１の生地の層と第２の生地の層とが摺動することが可能になっている。以下に説明するように、この特性は、いくつかの衣料品を形成する際に有用である。
【００１９】
図１は、低摩擦界面部を備えた生地の例を示す。図示されているように、生地１０は、例えば織物、クロス及び/又は布でよい第１の層及び第２の生地の層１１，１２を有する。低摩擦界面部を提供するために、第１の層と第２の層１１，１２との間に第３の生地の層１３が設けられる。第３の生地の層１３は、この生地１０から形成される衣類の着用者には見えない。したがって、第３の生地の層１３は、衣類の形成のために通常使用される生地に対する望ましい品質によって選択される必要はない。第３の生地の層１３により、第３の生地の層１３と、第１の生地の層１１及び第２の生地の層１２のうちの少なくとも一方との間の低摩擦を、第３の生地の層１３と第１の生地の層１１及び／又は第２の生地の層１２との間のそれぞれの界面１５，１６に提供する。この構成により、第１の生地の層１１と第２の生地の層１２との間の滑りが可能になる。
【００２０】
分かりやすさのために、図１では、第１、第２および第３の層１１，１２，１３の間、すなわち界面１５，１６が分離して示されていることを理解されたい。実際には、これらの層は接触しており、特に使用中は生地１０の少なくともいくつかの領域で接触している。
【００２１】
図２は、本発明による生地の別の構成を示す。図１に示す構成と同様に、生地２０は第１の生地の層および第２の生地の層２１，２２を備える。この構成では、第１の層と第２の層との間に設けられた第３の生地の層および第４の生地の層２３，２４により低摩擦界面部が形成される。この構成では、第３の生地の層および第４の生地の層２３，２４は、第３の生地の層と第４の生地の層２３，２４の間の低摩擦、すなわちこれらの層の間の界面２５での低摩擦の観点から選択することができる。代替として及び／又は追加的に、第１の生地の層２１と第３の生地の層２３との間の界面２6および/または第２の生地の層２２と第４の生地の層２４との間の界面２７を低摩擦にすることができる。
【００２２】
図２に示す構成では、第３の生地の層と（使用される場合）第４の生地の層２３，２４は、同じ物質から形成されてもよく、または異なる物質から形成されてもよい。いずれかの隣接する層どうしの滑りをさらに促進するため、および/または生地全体に他の特性を付与するために、他の生地の層を追加することもできる。
【００２３】
図１および図２に示されて上記に説明された構成では、使用される第３の生地の層および第４の生地の層は、任意の適切な物質から形成できる。例えば、これらの層は、滑らかな表面を有するように形成できるプラスチックフィルムから形成できる。 図面に描かれている構成は概略的であり、従って、図示された層の相対的な厚さは、実際の厚さを表しているものではないことを理解されたい。
【００２４】
図３は、生地に低摩擦界面部を提供するための更に他の構成を示す。上記と同様に、生地３０は、第１の生地の層および第２の生地の層３１，３２から形成される。この構成では、低摩擦界面部は、第１の生地の層および第２の生地の層３１，３２のうちの少なくとも１つの表面を改質することによって形成される。第１の生地の層３１の改質表面３３と第２の生地の層３２の改質表面３４との間の界面３５は、第１の生地の層３１および第２の生地の層３の未改質の表面間に生じる摩擦よりも小さい。
【００２５】
表面改質による場合、第１の生地の層および第２の生地の層のうちの一方の表面のみが改質されていれば十分である。
【００２６】
この構成は、上記で説明した構成と組み合わせることができること、すなわち、第１の生地の層および第２の生地の層３１，３２の改質された表面３３，３４の間に1つまたは複数の追加の生地の層を設けて、低摩擦界面部を提供できることに留意されたい。
【００２７】
また、第１の生地の層および第２の生地の層３１，３２の表面を改質する代わりに、第１の生地の層および第２の生地の層を選択して、それらの生地の層の対向する表面間の摩擦が十分に小さくなるようにして低摩擦界面部を提供できることにも留意されたい。
【００２８】
第１の生地の層および／または第２の生地の層３１，３２の表面３３，３４を改質するために様々な改質方法を使用できる。第１の生地の層３１の改質法は、第２の生地の層３２に用いる改質とは異なる改質法を用いることができることに留意されたい。一例として、ある生地の層の表面は、異なる物質を生地表面に含浸させることによって改質できる。代替としてまたは追加的に、異なる物質を生地の層の表面に結合させることができる。代替としてまたは追加的に、物理的処理を生地の層の表面に適用することができる。例えば、織られた合成材料の場合、改質表面は、より滑らかな表面を得るために、部分的に溶融できる。
【００２９】
これまでの説明では、低摩擦の界面を設けることに言及した。低摩擦を構成するのに必要な摩擦の大きさは変化することを理解されたい。しかし、この文脈では、この生地から形成された衣類の着用者が着用しているときに衣類に期待される負荷の下で、第１の生地の層が第２の生地の層に対して摺動することを確実にする第１の生地の層と第２の生地の層との間の摩擦の大きさを意味する。以下にさらに説明するように、この生地を使用する可能性のある衣類は、衝撃から着用者を保護することを意図することができる。そのような生地の使用のために、低摩擦界面部は、この生地を使用した衣類の着用者を衝撃から無事に保護することが期待されるが、その衝撃の間、第１の生地の層が第２の生地の層に対して摺動するように構成することができる。本発明のいくつかの用途では、摩擦係数が０．００１〜０．３及び/または０．１５未満となるように低摩擦界面部を構成することが望ましい場合がある。
【００３０】
上記の説明は、第１の生地の層および第２の生地の層が単一の物質であるかのように記載したが、これらの生地の層自体が複数の要素から形成されてもよいことを理解されたい。例えば、第１の生地の層および/または第２の生地の層は、パディング層を含むことができ、またはパディング層に付着させることができる。
【００３１】
さらに、図１〜図３は、生地部分を中実であるように示しているが、実際には、生地は、その使用に応じて、通風を可能にするために穿孔および/または空気孔を有してもよい。
【００３２】
一例では、第１の層および第２の層を形成するために使用される生地のうちの少なくとも１つは、伸張可能なものにできる。これにより、（例えば、生地のある領域が、別の要素、例えば生地が使用される衣料品の別の部分に固定されるところで）たとえ第１の層と第２の層の縁部が互いに固定されていても、第１の生地の層および第２の生地の層のうちの一方の領域が、第１の層および第２の層のうちの他方に対して摺動可能となる。このような状態では、1つの生地の層の一部が、摺動する領域の一方側に引き伸ばされることができる。
【００３３】
衝撃の間に着用者を傷害から守るためのヘルメットを含む衣類は、斜めの衝撃の場合に、望ましい有効性が得られない可能性があることが以前から判明している。斜めの衝撃では、接線方向の力成分が着用者に作用する可能性がある。着用者の頭部に斜めに衝撃が生じる場合、頭部に角加速度が生じることがある。頭部への角加速度は、脳を頭蓋骨内で回転させ、脳を頭蓋骨に接続している身体要素に損傷を与え、脳自体にも損傷を与える。
【００３４】
回転損傷の例には、硬膜下血腫、血管破裂の結果としての出血、及び、脳組織が高せん断変形された結果として神経線維が過度に伸びたことと要約できるびまん性軸索損傷が含まれる。持続時間、振幅および増加率のような回転力の特性に応じて、硬膜下血腫またはびまん性軸索損傷のいずれかが起こり、又はこれらの組み合わせが生じる。一般に、硬膜下血腫は持続時間が短く振幅が大きい回転加速度の場合に発生するが、より長期間およびより広範な加速負荷の場合にはびまん性軸索損傷が生じる。さらに、回転損傷は、脳震盪のような軽度の傷害を含むことがある。
【００３５】
頭部は、これらの力を減衰させるようにされた自然の保護システムを有する。これは、頭皮、硬い頭蓋骨、および頭蓋骨と脳との間の脳脊髄液を用いて行われる。衝撃の間、頭皮および脳脊髄液は、頭蓋骨の上下で圧縮および摺動の両方によって回転ショック吸収体として作用する。
【００３６】
したがって、斜めからの衝撃の間にヘルメットの外面が着用者の頭部に対して回転できるようにヘルメット内に摺動可能な層を設けることによって、頭皮および脳脊髄液の機能をある程度模倣するヘルメットを提供することが以前から提案されている。
【００３７】
しかし、ヘルメットの構造内にそのような摺動層を設けることは困難であり及び/又は費用を要する。さらに、多くの人は、このような摺動層がないヘルメットを既に所有しており、新しいヘルメットを購入することは望まない可能性がある。
【００３８】
本発明によれば、上記に説明した生地のいずれかから形成された帽子が提供される。この帽子は、着用者の頭部とヘルメットとの間に着用され、頭部とヘルメットとの間に摺動可能な層を形成する。これにより、斜めからの衝撃がヘルメットに加えられた場合の傷害の程度および/または可能性を低減することができる。例えば、いくらかの回転エネルギーを吸収でき、および/または斜め衝撃のエネルギーの一部を回転エネルギーではなく並進エネルギーに変換できる。この帽子を使用することによって、既存のヘルメットを、摺動可能層によって保護されたものにアップグレードすることができる。既に摺動可能層を備えたヘルメットの場合、ヘルメットとともに上記の生地から形成された帽子を着用することにより、回転損傷に対する保護を強化することができる。
【００３９】
本発明による帽子、すなわち上記の生地から形成された帽子は、任意の形態のヘルメットと併せて使用できることを理解されたい。例えば、この帽子は、少なくとも以下のヘルメットと併せて使用できる。サイクリングヘルメット、モーターサイクリングヘルメット、モーターカーレーシングヘルメット、乗馬ヘルメット、スキーヘルメット、スノーボーディングヘルメット、スケートヘルメット、アイスホッケーヘルメット、ラクロスヘルメット、クライミングヘルメット、スケートボードヘルメット、アメリカンフットボールヘルメット、野球ヘルメット、エアソフトヘルメット、ペイントボールヘルメット、クリケットヘルメット、及び/又は他の特定の目的のために設計されたヘルメット。
【００４０】
上記の生地を含む帽子は、従来のヘルメットを使用せずに着用でき、傷害に対して何らかの保護を提供できることを理解すべきである。特に、この生地は上記のように、摺動層と組み合わせて斜めの衝撃から有益な保護を提供できる1つ以上のパディング層を備えることができる。例えば、パディングと組み合わせて本発明の生地から形成された帽子を使用して、ラグビーのようなスポーツをするプレーヤが着用できるいわゆるスクラムキャップを提供することができる。本発明の生地で形成された帽子は、ゴルフ用のヘッドギアの基礎を形成することもできる。他の用途も可能である。
【００４１】
図４に本発明による帽子を概略的に示す。図示されているように、それは、いわゆるビーニー帽子と同様に、頭蓋骨の上部の形状に一致する単純な形状を有することができる。図４に示す例では、帽子４０は、図１に関して説明した生地から形成されている。すなわち、第１の生地の層１１及び第２の生地の層１２から形成され、第１の生地の層１１と第２の生地の層１２との間に第３の生地の層１３を含み、第３の生地の層１３は、第３の生地の層１３と第１の生地の層１１及び第２の生地の層１２のうちの少なくとも一方との間が低摩擦となるように選択された生地から形成されている。帽子４０の外側に着用されたヘルメットを介して衝撃が第１の生地の層１１に直接に、または第１の生地の層１１に伝達されると、第１の生地の層１１は第２の生地の層１２に対して摺動することができる。これにより第１の生地の層１１およびヘルメット（着用した場合）が、着用者の頭部に対して摺動でき、回転傷害の可能性および/または程度が低減される。
【００４２】
上記に説明した他の生地のいずれを用いても、本発明による帽子を形成することができることを理解されたい。
【００４３】
上記の通り、この生地は、穿孔および/または通気孔を含むように構成できる。一般に、この帽子は、そのような穿孔および/または通気孔の使用および/または生地の形成に使用する物質の選択によって、熱および/または汗を着用者の頭部から確実に逃がすように構成できる。
【００４４】
上記の通り、第１の生地の層及び第２の生地の層のうちの少なくとも１つは、伸縮可能であるように選択できる。このことにより、第１の生地の層が第２の生地の層に対して確実に摺動できる。このような生地を使用することにより帽子４０が全体的に伸長可能になり、それにより、快適であり、様々な頭部の大きさに対して確実にフィットすることが可能になる。
【００４５】
ある構成では、帽子４０を形成するために使用される生地は、０．１ｍｍ〜２０ｍｍの全厚さを有することができる。
【００４６】
生地の選択および詳細な構成に応じて、本発明による帽子は、帽子の１つの層を帽子の別の層に対してかなり滑らせることが可能になる。成人サイズの頭部においては、１つの層の領域を他の層に対して最大１００ｍｍ摺動させることができる。
【００４７】
本発明による帽子は、図４に示す帽子とは異なる形状を有することができることを理解されたい。特に、帽子の１つ以上の領域を除去することが望ましい場合がある。例えば、帽子は、着用者の頭蓋骨の頂部全体に接触する必要はなく、それでも帽子の外側に着用するヘルメットの摺動が可能になる。その場合、頭部の換気を向上させるために、帽子の頂部または他の部分をなくすことができる。本発明の一観点によれば、帽子の範囲を十分に小さくすることができ、それは実質的にヘッドバンドになる。
【００４８】
本発明の一観点によれば、上記の生地は、ヘルメットの一部であるライナを形成するために使用できる。この構成を図５に示す。図示された構成では、ライナ５３は、図１を参照して説明した生地から形成される。したがって、この生地は、第１の生地の層１１と第２の生地の層１２との間に第３の生地の層１３を有し、第３の生地の層１３は、第３の生地の層１３と、第１の生地の層１１および第２の生地の層１２のうちの少なくとも一方との間が低摩擦となるように選択される。このライナの形成には、上記に説明した他の生地のいずれも使用できること理解されたい。
【００４９】
図示のとおり、ライナ５３は、例えば、半径方向衝撃のエネルギーを吸収するように構成された発泡体層５１から形成され硬質シェル５２によって囲まれたヘルメット内に設けることができる。他の従来のヘルメットも、本発明のライナ５３とともに使用できる。
【００５０】
理解されるように、本発明の材料を使用してヘルメット５０内にライナ５３を設けることにより、既存のヘルメット設計に摺動可能な層を導入する比較的簡単な方法が提供できる。
【００５１】
本発明の一観点によれば、ライナ５３は、発泡体層５１から取り外し可能にできる。例えば、ライナ５３は、第１の生地の層１１を発泡体層５１に固定するフック・アンド・ファスナーによって固定できる。これによりは、ライナ５３を容易に取り外すことが可能になり、例えば定期的に洗浄や交換することができる。
【図１】
0006759221.tif 000002
【図２】
0006759221.tif 000003
【図３】
0006759221.tif 000004
【図４】
0006759221.tif 000005
【図５】
0006759221.tif 000006